(57)【要約】本発明のスキー練習とリハビリテーション用の装置は、滑降走行部（２２）は外側クランプ桁（２０）と（２１）および中央桁（２６）にベアリングで取り付けられ、それにより回転軸がアーチ面内にある一連の回転ロール（２５）を有し、前記中央桁（２６）はその端が衝撃吸収器（２７）で支持され、外側クランプ桁（２０と２１）の端は、一端で可変長の短い接続関節棒（１８と１９）結合し、他端は可変長の長い接続関節棒（１８と１９）に結合し、その他端は前部駆動軸（１１）と後部駆動軸（１２）に取り付けられた歯車（１３、１４、１５および１６）の各ディスクに接続され、前記外側クランプ桁（２０と２１）はまた装置の枠台（１）に設置されるアクチュエーター（３６）につながる揺動梃子（３４と３５）にも結合され、信号灯（５４）はスラロームのポール位置を模倣し、前記滑降走行部（２２）の、上部駆動ロール（３２）と下部駆動ロール（３１）にアーチ状にベルト掛けされた剛毛が生えた走行マット形式の滑走マット（３０）上に取り付けられている。
2004528153.tif 000002
【特許請求の範囲】
【請求項１】
駆動部が機械的に接続する前と後駆動軸および剛毛の植えられた走行マットによりベルト掛けをされた回転ロールが設置された滑降走行部駆動部を設けた台枠を有するスキーの練習とリハビリテーション用装置であって、当該走行マットの上面は前記装置の台の下面に対して急な角度をなし垂直だが可変の位置を取り、ここで、滑降走行部（２２）は外側クランプ枠（２０と２１）にそして中央桁（２６）に軸受けを介して取り付けられる回転ロール（２５）の一連を有し、それにより回転ロールの回転軸は一つのアーチ状の面をなし、前記中央桁（２６）はその端を衝撃吸収器（２７）で支持され、外側クランプ桁（２０と２１）の端はその一端で可変長の短い関節のある接続棒（１８と１９）に、そして他端で可変長の長い関節のある接続棒（２３と２４）に接続し、他の端は前部駆動軸（１１）と後部駆動軸（１２）に取り付けられた歯車（１３、１４、１５および１６）のそれぞれの円板に回転可能に接続され、前記外側クランプ桁（２０と２１）はまた装置の台枠（１）に設置されるアクチュエーター（３６）に接続する遥動梃子（３４と３５）に接続し、信号灯（５４）はスラローム・ポールの模倣をし、前記滑降走行部（２２）の、前部駆動ロール（３２）と後部駆動ロール（３１）にアーチ状にベルト掛けする剛毛の植わった走行マットの形で走行マット（３０）上に設置される装置。
【請求項２】
散水と冷却ノズル（３９）は、冷凍部（４０）に接続され、走行マット（３０）の下の下部に位置し、一方モニター部（４５）とハンドル（４４）付き支持ポール（４２）は前記装置の前部に取り付けられ、前記ポールの少なくとも一つには主駆動モーター（３）に電気的に接続する少なくとも一つのコントロールパネル（４３）が取り付けられ、それには前記上部ロール（３２）または前記下部ロール（３１）の駆動モーター（３３）、前記冷凍部（４０）、前記信号灯（５４）、前記モニター部（４５）、コントロールパネル（５０）の付いた診断装置、エアーコンディショナー（５１）およびアクチュエーターが接続されることを特徴とする請求項１記載の装置。
【請求項３】
駆動モータ（３３）の軸が駆動ロール（３１または３２）の一つを構成する請求項１または２記載の装置。
【請求項４】
支持ポール（４２）は互いに接続し、また内側面上に安全遮断スイッチが設けてなる安全ベルトが付いた弓形（４６）に接続する請求項１または２記載の装置。
【請求項５】
無端走行マット（３０）に５ｃｍの長さの剛毛が植えられている請求項１または２記載の装置。
【請求項６】
滑降走行部（２２）の駆動部に、主駆動モーター（３）と、トランスミッション（５８）を介して上部駆動ロール（３２）へ電気的に接続する周波数変換器（５７）が設けられ、該装置の台枠（１）には車輪（２）が取り付けられ、台の側面ガード（５２）には剛毛の走行マット（３０）に交差して該ガードの上端にフランジ（５３）が取り付けられている請求項１記載の装置。
【請求項７】
滑降走行部（２２）の駆動部には、剛毛滑走マット（３０）によりベルト掛けされた上部電動ドラム（５５）が下部駆動ロール（３１）とともに設置される請求項１または６記載の装置。
【請求項８】
滑降走行部（２２）の駆動部には、剛毛滑走マット（３０）によりベルト掛けされた下部電動ドラム（５５）が上部駆動ロール（３２）とともに設置される請求項１または６記載の装置。
【請求項９】
滑降走行部（２２）の駆動部には、剛毛滑走マット（３０）によりベルト掛けされた上部電動ドラム（５６）と下部電動ドラム（５５）が設置される請求項１または６記載の装置。
【請求項１０】
周波数変換器（５７）がトランスミッション（５８）を介して下部駆動ロール（３１）に接続する請求項１または６記載の装置。
【請求項１１】
周波数変換器（５７）がトランスミッション（５８）を介して上部駆動ロール（３２）と下部電動ロール（５５）に接続する請求項１または６記載の装置。
【請求項１２】
周波数変換器（５７）がトランスミッション（５８）を介して下部駆動ロール（３１）と上部電動ロール（５６）に接続する請求項１または６記載の装置。
【請求項１３】
剛毛走行マット（３０）の滑り板（６１）が滑降走行部（２２）の外側クランプ桁（２０）と（２１）の間に位置し、該滑り板は、円弧に似た長手方向にアーチ状断面を有し、そして各コーナーが衝撃吸収器（６２）で支持される請求項１または６記載の装置。
【請求項１４】
滑り板（６１）は摩耗に高い抵抗性を有する材料、好ましくはクロム・ニッケル鋼からなり、その剛毛の生えた走行マット（３０）と接触する上面は研磨されてなる請求項１３に記載の装置。
【請求項１５】
外側クランプ桁（２０と２１）および中央桁（２６）は台枠（１）の下部に設けられたアクチュエーター（６０）に接続する請求項１または６記載の装置。
【請求項１６】
剛毛滑走マット（３０）の縁には底部にガイド部材（６３）が設けられ、それは好ましくは断面台形形状（trapeze  shape）をなし、該ガイド部材（６３）と同じ形状の円周溝（６４）に位置し、駆動ロール（３１と３２）および／または電動ドラム（５５または５６）の端にある請求項１または６記載の装置。
【請求項１７】
外側クランプ桁（２０と２１）が滑走マット（３０）の縁が位置する内部表面のアーチ形輪郭のスロットガイド（６５）を有する請求項１、６または１５に記載の装置。
【請求項１８】
滑降走行部（２２）の外側クランプ桁（２０と２１）は軸受けで駆動ロール（３１と３２）および／または電動ロール（５５または５６）の外側に位置する追加の回転ロール群（６７）に接続し、無端搬送ベルト（６８）がベルト掛けされ、追加のロール群（６７）は搬送ベルト（６８）で駆動される無端剛毛滑走マット（６９）でベルト掛けされ、そして回転ロール（６７）の径は駆動ロール（３１と３２）および／または電動ドラム（５５と５６）の径よりも小さい、請求項１、６、１５または１７に記載の装置。
【請求項１９】
駆動ロール（３１と３２）および／または電動ドラム（５５と５６）および／または追加の回転ロール（６７）は円筒形状である請求項１、６または１８に記載の装置。
【請求項２０】
駆動ロール（３１と３２）および／または電動ドラム（５５または５６）は円錐台形状（５９）である請求項１、６または１８に記載の装置。
【請求項２１】
追加の回転ロール（６７）は円錐台形状（５９）である請求項１８または１９に記載の装置。
【請求項２２】
スキーを設置し、その下面が摩耗に高抵抗の静電防止で、高融点材料からなり、好ましくはＮｉ−Ｃｒの炭素繊維からなる請求項１記載の装置。
【発明の詳細な説明】
【技術分野】
【０００１】
本発明の目的は、スキー練習と社会復帰訓練用の装置であり、これは初心者またはプロのスキーヤーの両方とに、また社会復帰訓練者にも使用できることを意図し、足のマッサージ、滑降やクロスカントリーの模倣等により実際の滑降走行や社会復帰訓練において動かす筋肉の訓練を可能とし、そして追加特許出願第Ｐ−３５２６４０号に従う装置の改良でもある。
【０００２】
ポーランド特許出願番号第１８１０４９号として知られるスキー練習用装置は下面に対して急な角度で傾斜する主平面の枠台を具備し、弾力のある剛毛の生えたマットと滑走ロールを備えた走路マットがその枠台の上に位置し梃子により該枠台に回転自在に接続している。その上、枠台には前駆動軸と後駆動軸およびデッキと主スキー固定部の間に位置するスキーの自由動作を刺激するスプリング部を設けてなる。この装置はまた、後駆動軸に動力を伝達し、その後、前駆動軸と滑走ロールの駆動部に伝達する電動モーター、ウオーム歯車およびベルトの動力伝達機構を具備する。
【０００３】
当該先行技術の欠点はその低い汎用性であり、スキー装置の種々のタイプに、リハビリテーション用に、最も重要なことには初心者スキーヤー、特に児童に使用しがたい点である。なぜならば、スキーの自由運動を刺激するスプリング部材がスキーの自由運動を制限し、そしてスキー操作の訓練者に不断の注意を強要するからである。
【０００４】
本発明の目的は、凹凸ある地形での滑走を含み、滑降走行の間偶発的に変化し、初心者用の訓練、どのタイプのスキーの訓練でも、雪またはアイスバーン上でのスキー条件を創り出し、同様に人の多くの器官のリハビリテーションのために、異なる速度での総合的な訓練をスキーヤーに施すことを可能とする装置を設計することである。
【０００５】
本発明のスキー練習と社会復帰訓練用の装置の要諦は、それは滑降走行部（downhill-run  unit）を具備し、それに外側クランプ桁と中央桁に軸受けで回転ロール群が接続され、それにより回転軸がひとつのアーチ面に存し、一方中央桁はその端が衝撃吸収器で支持され、外側クランプ桁の端は長さが可変の短い接続棒（connecting  rod）と長い接続棒に接続し、それらの他端は前部駆動軸と後部駆動軸に設置される歯車のそれぞれの円板に回転自在に結合する。
【０００６】
そのほか、外側クランプ桁は装置の枠台(frame  base)に設けられたアクチュエーターに結合する遥動梃子（rocking  lever）につながる。順にスラロームのポールの位置を模倣して示す信号灯が上部駆動ロールと下部駆動ロールをアーチ状にベルト掛けする剛毛の植えられた滑走マット形状で滑降走行部の滑走マット上に位置し、一方冷凍部に繋がる散水と冷却ノズルは滑走マットの下の下部に位置し、モニター部とハンドル付の支持ポールが装置前面に設置されている。少なくともひとつのポールには主駆動モーター、上部または下部ローラーの駆動モーター、冷凍部、信号灯に電気的に接続するコントロールパネルが設置され、そしてモニター部、コントロール・パネルを有する診断装置、エアーコンディショナーおよびアクチュエーターが設けられている。好ましくは、駆動モーターの軸は下部かまたは下のロールである駆動ロールの一つを構成し、そして支持ポールは、互いに結合し内部表面に安全遮断スイッチを設けた安全ベルトを有する弓形に結合し、無端（endless）滑走マットは長さ５ｃｍの剛毛を有する。
【０００７】
本発明のスキー練習とリハビリテーション用の装置の改良は、駆動モーターにおよびトランスミッションを介して上部駆動ロールおよび／または下部駆動ロールに電気的に接続する振動数変換器を設けてなり、装置の枠台には車輪を設け、台の保護側面には滑走マットに交差するように上部の端にフランジが設けてある。好ましくは滑降走行部の駆動部には剛毛の生えた滑走マットにより下部駆動ロールとともにベルト掛けされた上部電動ドラム、剛毛の生えた滑走マットによりベルト掛けされた上部および／または下部電動ドラムが設けられている。長手方向の断面がアーチ状で円弧に似ている走行滑り板は外側クランプ桁の間に位置し各コーナーで衝撃吸収器に支持されている。該板は高い磨耗抵抗の材料で作られ、滑走マットに接触する面は磨かれている。
【０００８】
さらにこの部位における外側クランプ桁の端と中央桁のそれとは枠台の下部に設置されたアクチュエーターに結合され、そして滑走マット・リムには底からガイド部材が設けてあり、それは好ましくは、ガイド部材と同じ形状の円周溝に位置して駆動ロールおよび／または電動ドラムの端となるか、または外側クランプ桁が滑走マットのリムが位置する内部表面にアーチ形状のスロットガイドを有するとき、断面が台形の形状（trapeze  shape）をなす。また、好ましくは外側クランプ桁は軸受けで追加の回転ロールに接続し、駆動ロールおよび／または電動ドラムの外側に位置し、バンドで駆動される無端搬送ベルトでベルト掛けされてこのベルトで駆動され、一方回転ロールの径は駆動ロールおよび／または電動ドラムの径よりも小さい。さらに、この装置では駆動ロールおよび／または電動ドラムおよび／または追加ロールは円筒形をしているが、そうでなければ端は円錐台形をしている。好ましくは本発明の装置はその下の滑降面は高い耐摩耗抵抗、高融点を有する静電防止材料、好ましくは炭素繊維またはＮｉ−Ｃｒ鋼からなるスキーを具備する。
【０００９】
本発明の基本の特徴は、カービング（carving、切り込みスキー）、伝統的なスキー（滑降）、クロスカントリーおよび水上スキーや同様にスノーボードの練習に使用できるその汎用性である。この装置はまた一流のスキーヤーやこれからスキーを学ぶ初心者の両方に使用できる。この装置はまた足関節の身体的運動による回復練習、足裏に合わせて運動することによるマッサージ、血液循環の刺激や同様に種々のアップダウンの坂でのクロスカントリー式滑走練習のために使用できる。回復訓練中の人は、心拍数や血圧検査のような健康診断や同様に体力関連の健康査定を受けることができる。この装置はまた、実際の滑降スキーに働く筋肉の訓練となる種々の高さのこぶを越えるモーグル・スキーの訓練にも使用できる。装置はまた、剛毛の生えたマットに散水して氷結させることにより冬季の状態を創り出すこともできる。この周期は連続したり、変化したり、断続したりすることができ、山の斜面における実際の気象状況を模倣するものである。また、練習は安全であるのは確かで、なぜならば安全ベルトは範囲を限定し、バランスの喪失に相当するがもしもそれを超えると、安全遮断スイッチが主駆動モーターおよび下部―ロール駆動モーターを切断するのである。本発明の特徴はまた、駆動ロールのひとつの直接駆動であり、これにより主駆動モーターからの追加のトランスミッションの必要性がなくなる。さらに本発明の特徴は、静止帯上に設けられたモニター部はモニタ画面上の仮想世界に同期する装置での訓練を視覚化し、これにより、たとえばスイス・アルプスでのスキーのような実際の地形での眺望を選ぶことができる。訓練者のスキーをしている音もまた聞こえる。剛毛滑走マット上の訓練とその上の光信号はポール競技のスキーをしているようにスクリーンで表現される。このようにして訓練者は彼／彼女のスキーの様子を再現して彼／彼女のスキーが誤りかミスをしたかをチェックすることができる。それはこの装置を用いてスラローム場競技イベントをする可能性を創出する。またスキー速度と走行距離を読み取ることができ、また同様に実際の滑降スキールートを示すこともできる。剛毛走行マット運動の滑降走行部の速度の駆動を独立として、訓練の間種々に可変とすることができる。訓練の単調さを避け、短時間でスキーの過誤やミスを正すことができる。本発明の装置の特徴は、練習者には安全で外出することなく、そしてスキーコースを探すために山岳を高価で長期間の捜索をすることなく実体験のスキー感覚を養える。
【００１０】
本発明に従う装置にキャスター車輪をつけることにより特定の空間の所望の位置に配備できることになり、そしてスキーの滑走マットに側面Ｖ−ベルトを設置し、その駆動軸または電動ドラムにＶ−ベルトと同じ輪郭の溝を付けると、滑走マットの横移動が不可能になる。側面ガードに滑走マットに交差するようにフランジをつけて、同様に外側クランプ桁の内部壁にアーチ形状のスロットガイドを設けると、滑走マットの横移動が防止できる。順に滑降走行部の外側クランプ棒に追加のロールを取り付けると駆動軸と電動ドラムの高価な搬送ベルトによるベルト掛けとそして該ロールの剛毛マットによるベルト掛けを、該ベルト駆動とすることができ、そして、それは搬送ベルトの使用可能期間を延命することができる、なぜならば、滑走マット上の剛毛が局所的に摩耗するときは、非常に安い剛毛滑走マットのみを交換すれば良いからである。
滑降走行部の駆動系にアクチュエーターと周波数変換器（frequency  converter）を取り付けると従来使用の可変長の長短接続棒を、また同様ウオーム歯車とベルト伝達を除くことができ、そして滑走板を採用すると静電気の帯電を防止でき、そしてスキー寿命をかなり延ばすことができるが、スキー板と滑走マット間に発生する高温のために従来は非常に短かったのである。
【００１１】
本発明は図により実施の態様を例示し、図１は、側面ガード、キャスター車輪に静止して、滑走マット、支持ポール、安全ベルト、モニター部およびエアコンディショナーを設けた枠台からなる本装置の斜視図（axonometric  projection）であり、図２は、滑走マットと側面ガードを除いた後の駆動部と滑降走行部を有する本装置の枠台の斜視図であり、図３は、滑走マットを有する滑降走行部の図１におけるＡ−Ａ線に沿った断面図であり、図４は、本装置の同じ滑降走行部の上面図であり、図５は、本装置の同じ滑降走行部の図４のＢ−Ｂ線に沿った断面図であり、図６は、滑走マットと側面ガードを除いた後の本装置の枠台の斜視図であり、アクチュエーター、駆動軸または円筒形の電動ドラムを備えた滑降走行部を有し、そして周波数変換器を備えた駆動部を有し、図７は、駆動軸または円筒形で円錐形の電動ドラムを備えた滑降走行部の図２から部分Ｔの斜視図であり、図８は、滑走マットと側面ガードを除いた後の本装置の枠台の図でアクチュエーター、円筒形で円錐形の駆動軸を備えた滑降走行部と同様に周波数変換器を備えた駆動部を有する斜視図であり、図９は、本装置の同じ枠台の斜視図であり、滑降走行部を有し、その外側クランプ桁には駆動軸または電動ドラムが備えられ、そして外部ベアリングで追加の回転ロールを有し、図１０は、図９の滑降走行部の部分の上面図であり、図１１は、滑走マットを有する本装置の滑降走行部の図１０におけるＥ−Ｅ線に沿った断面図であり、図１２は、駆動軸または電動ドラムとそれらの間に滑走板を設けた滑降走行部の部分上面図であり、図１３は、駆動軸または電動ドラムとその間に滑走板を備えた滑降走行部の部分上面図であり、図１４は、滑走マットのスロット・ガイドを有する滑降走行部の部分である図６のＣ−Ｃ線に沿った断面図であり、図１５は、滑走マットの台形ガイドを有する滑降走行部の部分の図９のＤ−Ｄ線に沿った断面図であり、図１６は、本装置の部分で図１のＦ−Ｆ線に沿った断面図である。
【００１２】
本発明の装置は枠台１を具備し、キャスター車輪２が静止しており、それには主駆動モーター３のブレーキが設置され、前記枠台に取り付けられ、ウオームギア５に減速ギア（reducing  gear）４を介して接続される。枠台１は、上部のアーチ形状の傾斜した側面枠桁６と７により構成され、該アーチは上に凸形状である。さらに枠台１は底部横木（cross  bar）８を備え、縦桁９と底の側面桁１０を支持する。枠台の下部は主駆動軸３でそれぞれ駆動される前および後駆動軸１１と１２をそれぞれ軸受けを介して支持する。駆動チェーン輪１３と１４は前駆動軸１１の一端と他端に設置され、駆動チェーン輪１５と１６は、後駆動軸１２の一端と他端に設置される。駆動チェーン輪１３、１４、１５および１６は、同じ径を有して、チェーン１７によるチェーン伝達器を構成する。可変長の短接続棒１８および１９の端は、前駆動軸１1に設置される駆動チェーン輪１３と１４のチェーン・ディスクにピボット接続され、それらの他の端は、滑降走行部２２の外側クランプ桁２０と２１にピボット接続される。他方、可変長の長い接続棒２３と２４の端は、後駆動軸１２に設置される駆動チェーン輪１５と１６の駆動チェーン・ディスクにピボット接続され、それらの他の端は、滑降走行部２２の外側クランプ桁２０と２１にピボット接続される。滑降走行部２２は外側クランプ桁２０と２１にベアリングでつながる回転可能な一連のロール２５を有し、同様に端が衝撃吸収器２７に支持される中央桁２６にもつながる。中央桁２６は回転可能なロール２５の一連を構成する二列の回転可能なロール列２８と２９の間に位置する。滑降走行部２２にはまた長さ３cmの剛毛を植えた無端（endless）滑走マット３０を設けており、また駆動モーター３３の回転軸を構成する下部駆動ロール３１と上部駆動ロール３２も設置される。さらに外側クランプ桁２０と２１は、枠台１に設置されたアクチュエーター３６につながる遥動梃子（rocking  lever）３４と３５に結合する。回転可能なロール２８と２９は、外側ピボット３７を有する上部と下部駆動ロール３２と３１よりも小さい径を有し、外側クランプ桁２０と２１に沿ってアーチ状に配列され、一方、それらの内側ピボット３８は中央桁２６に沿って同様なアーチ状で配列する。無端の剛毛滑走マット（endless
bristled  track  mat）３０は、上部および下部駆動ロール３２と３１上に設置され、過移転可能なロール２８と２９により支持され、このようにしてアーチ状輪郭の表面を形成している。好ましくは、無端剛毛滑走マット３０が上部および下部駆動ロール３２と３１に接する点をつないだ直線“ｃ”と回転可能なロール２８と２９に前記滑走マットが接触して構成する接触面とにより形成される“ｄ”部の、直線“ｃ”に垂直な線“ｆ”上に位置する滑走-ロール接触の最も高い点であるＤ点での距離は、４ｃｍである。このような無端剛毛滑走マット３０と回転可能なロール２８と２９の配置によりいかなる型のスキー装置による訓練も可能となる。
【００１３】
無端剛毛滑走マット３０の全幅に沿って散水で冷却ノズルが設けてあり、それは冷凍部４０に繋がる。初めにこれらによりこの滑走マット上に散水し、その後氷結させる。
【００１４】
モニター部４５は、ハンドル４４と遮断器スイッチを有するコントロール・パネルが備えられた支持ポールの間の静止帯４１の前部に位置し、全装置の機能と同期し、そこから滑走速度と走行キロ数が読める。当該部のスクリーンは地形の実際の滑降走行ルートを視覚化することができる。代わりに固い安全ベルト４８が、一方の指示ポール４２に、また後部ガード４７上に位置する弓形（bow）４６および他のポール４２に固定され、弓形４６と固い安全ベルト４８の両方と支持ポール４２には安全切断スイッチ４９が設置され、これにより訓練者の操作能力範囲を超えるような場合に滑降走行の全運動を停止させることができる。装置にはまた支持ポール４２に取り付けたコントロール・パネル５０による訓練者のための診断部を設けてあり、また同様に装置の下部にはエアーコンディショナー５１が設置される。枠台１の側面桁６、７および１０は側面ガード５２で覆われ、該ガードは無端剛毛滑走マット３０に交差する内部面（internal  periphery）にフランジ５３を有する。無端剛毛滑走マット３０上にはスラローム滑走ポールの位置を模倣する信号灯５４も設けてなる。
【００１５】
本発明の他の実施態様では（図６、８および９）、滑降走行部２２の外部クランプ桁２０と２１の端に設置される駆動ロール３１と３２の代わりに、下部電動ドラム５５と上部電動ドラム５６または上部電動ドラム５６と下部駆動ロール３１または下部電動ドラム５５と下部駆動ロール３２があり、該電動ドラム、または各ロールとの電動ドラムは無端剛毛滑走マット３０によりバンド掛けされる。
【００１６】
次の本発明の実施態様では（図６と９）、駆動部には、枠台１の下部に設置された周波数変換器（frequency  converter）５７が設けてあり、電気的に主駆動モーター３につながり、同様、ベルト伝達機構５８を介して上部駆動ロール３２または下部駆動ロール３１が設置される。
【００１７】
次の実施態様では滑降走行部２２の駆動ロール３１と３２および電動ロール５５と５６の端は円錐台形５９の形状をなし、上記滑降走行部での外側クランプ桁２０と２１および中央桁２６の端は枠台１の下部に設置されたアクチュエーター６０に結合される（図６−９）。
【００１８】
図１２と１３で示される他の実施態様では、無端剛毛滑走マット３０の滑走板６１は滑降走行部２２の外側クランプ桁２０と２１と駆動ロール３１と３２もしくは電動ドラム５５と５６の間に位置し、コーナーのそれぞれで衝撃吸収器（shock  absorber）６２により支持される。該滑走板６１は、クロム・ニッケル鋼で作られ、円弧状に似たアーチ形の伸張形状をしており、無端剛毛滑走マット３０に接触する上表面は研磨されている。
【００１９】
さらに他の実施態様では（図１２，１３と１５）、無端剛毛滑走マット３０の縁にはその裏面にＶ−ベルト６３が掛けられ、駆動ロール３１と３２および／または電動ドラム５５と５６の端でＶ−ベルト６３が形成するのと同じ形の円周溝６４に位置し、ガイドされる。
【００２０】
他の実施態様では（図９と１４）、滑降走行部２２の外側クランプ桁２０と２１は、無端剛毛滑走マット３０の縁で働く、内部面上でアーチ形状のスロット・ガイド６５を有する。
【００２１】
本発明の装置の他の実施態様では（図１０と１１）、滑降走行部２２の外側クランプ桁２０と２１は軸受けを介して追加の回転ロール６６と６７がつながり、駆動ロール３１と３２および／または電動ドラム５５および５６の外側に位置し、一方駆動ロール３１と３２および／または電動ドラム５５または５６は無端搬送ベルト６８でベルト掛けされ、追加の回転ロール６６と６７は搬送ベルト６８で駆動される無端剛毛滑走マット６９にベルト掛けされ、回転ロール６６と６７の駆動ロール３１と３２および／または電動ドラム５５と５６のそれよりも小さい。
【００２２】
上記全ての実施態様の本発明の本装置では、滑走底面は炭素繊維で作られたスキーを備え、他の態様では該面はクロム−ニッケル鋼で作られる。
【００２３】
装置の機能は２つの基本形を実現する：無端剛毛滑走マット３０上に位置する訓練者は、コントロール・パネルで主駆動モータ３のスイッチをＯＮにし、そしてその傾斜を調整し、それから彼／彼女は無端剛毛滑走マット３０を駆動する上部駆動ロール３２の主駆動モーター３３を始動させ、該マットは、順に、回転ロール２５系と下部駆動ロール３１を動かす。訓練者は支持ポール４２のグリップ・ハンドル４４を握り滑降スキーの間になされる種々の運動、パーフォーマンスの練習を開始する。彼／彼女はスラロームスキーの訓練もできる、なぜならば無端剛毛滑走マット３０にはこのようなスキーのための信号灯が設けられているからである。スキー板を使用しない場合では、訓練者は靴を履いてまたは裸足で斜面を上りまたは下って、種々のリハビリテーションをすることができ、この際、無端剛毛滑走マット３０の傾斜と速度は自身の体重に合わせて選択される。
【００２４】
初心者、特に子供のためには、図示されない、追加の水平支持棒を支持ポール４２の間に固定すると良い。訓練者は、それを握りながら、スキーを操作しリフトするのに専念することができ、このようにして滑降スキーに習熟する。本装置は水上スキーの訓練にも使用できる。このために、モーター３３は回転駆動を逆転させることができる。訓練者は、モニター部４５のスクリーンで自身の全運動のコースや走行距離（キロ）を見ることができ、そして誤りの内容やその生じたところをチェックすることができる。
【００２５】
モーグル・スキーを練習する場合、訓練者はコントロール・パネル４３から主・可変速度駆動モーター３を始動させると、減速ギア４、ウオームギア５が動き、そして後部駆動軸１２、チェーン駆動輪１５と１６、次にチェーン１７が動き、そして駆動輪１３と１４が動いて前部駆動軸１１に動力を伝達する。
【００２６】
それから、チェーン輪１３−１６から、揺動梃子（rocking  lever）３４と３５とともに可変長の短接続棒１８と１９および長接続棒２３と２４を介して、滑降走行部２２はシフトと自動調整（self-aligning）の動きをし、これによりモーグル上でのスキーの練習ができる。駆動モータ３３はまたＯＮであり、無端剛毛滑走マット３０は訓練の間可変態様で動く。また訓練の間、主駆動モーター３の速度は可変であり、２３と２４と同様短接続棒１８と１９の長さ、および揺動梃子３４と３５のそれは同様に変えることができる。
【００２７】
この結果、多くのスキーの組み合わせにより訓練者の満足がなされ、練習の単調さは最小限となる。モニター部４５からスキー速度や一定時間経過の距離（キロメーター）をスクリーンから読み取ることができる。弓形４６とこの弓形を支持ポール４２に結合する硬い安全ベルト４８は訓練者がバランスを崩した際に身体を保護し、安全遮断スイッチ４９は無端剛毛滑走マット３０上の動作範囲を超えた際に訓練者の保護をする。それから、訓練者の身体が固い安全ベルト４８に触れる、または特定の遮断スイッチの光線（送信−受信）に位置する毎に、本装置は停止する。何れの場合も訓練者は冷凍部４０のスイッチをＯＮにすることで冬季スキーの模倣をすることができる。散水および冷却ノズル３９により上記冷凍部は無端剛毛滑走マット３０の外表面上の全ての水を氷結させそして訓練の間雪面スロープ上のスキーに類似するいかなる状態もその表面上で維持できる。コントロールパネルとそれにつながる診断部は訓練者の健康状態、彼／彼女の血圧、心拍を読み取る。またエアーコンディショニング部５１を始動させて訓練者に送風し、これにより開放空間のスキー感覚を与えることができ、またモーグル上のスキーでは回転ロール２８と２９は中央桁２６とともに曲がり、次いで訓練者は無端剛毛滑走マット３０上に沈む。アクチュエーター６０の電動ドラム５５と５６、周波数変換器５７、追加の回転ロール６６と６７、同様に滑り板６１を使用する場合、これらの操作の基本は、上記説明から類推することができる。
【図面の簡単な説明】
【００２８】
【図１】本装置の斜視図である。
【図２】滑走マットと側面ガードを除いた後の駆動部と滑降走行部を有する本装置の枠台の斜視図である。
【図３】滑走マットを有する滑降走行部の図１におけるＡ−Ａ線に沿った断面図である。
【図４】本装置の同じ滑降走行部の上面図である。
【図５】本装置の同じ滑降走行部の図４のＢ−Ｂ線に沿った断面図である。
【図６】滑走マットと側面ガードを除いた後の本装置の枠台の斜視図である。
【図７】駆動軸または円筒形で円錐形の電動ドラムを備えた滑降走行部の図２から部分Ｔの斜視図である。
【図８】滑走マットと側面ガードを除いた後の本装置の枠台の図でアクチュエーター、円筒形で円錐形の駆動軸を備えた滑降走行部と同様に周波数変換器を備えた駆動部を有する斜視図である。
【図９】本装置の同じ枠台の斜視図である。
【図１０】図９の滑降走行部の部分の上面図である。
【図１１】滑走マットを有する本装置の滑降走行部の図１０におけるＥ−Ｅ線に沿った断面図である。
【図１２】駆動軸または電動ドラムとそれらの間に滑走板を設けた滑降走行部の部分上面図である。
【図１３】駆動軸または電動ドラムとその間に滑走板を備えた滑降走行部の部分上面図である。
【図１４】滑走マットのスロット・ガイドを有する滑降走行部の部分である図６のＣ−Ｃ線に沿った断面図である。
【図１５】滑走マットの台形ガイドを有する滑降走行部の部分の図９のＤ−Ｄ線に沿った断面図である。
【図１６】本装置の部分で図１のＦ−Ｆ線に沿った断面図である。
【国際公開パンフレット】
2004528153.tif 000003
2004528153.tif 000004
2004528153.tif 000005
2004528153.tif 000006
2004528153.tif 000007
2004528153.tif 000008
2004528153.tif 000009
2004528153.tif 000010
2004528153.tif 000011
2004528153.tif 000012
2004528153.tif 000013
2004528153.tif 000014
2004528153.tif 000015
2004528153.tif 000016
2004528153.tif 000017
2004528153.tif 000018
2004528153.tif 000019
2004528153.tif 000020
2004528153.tif 000021
【国際公開パンフレット（コレクトバージョン）】
2004528153.tif 000022
2004528153.tif 000023
【国際調査報告】
2004528153.tif 000024
2004528153.tif 000025
2004528153.tif 000026